(57)【要約】【課題】正規の長さよりも長い長さの締結部材が筐体の内部に進入する量を効果的に規制することができる電子機器を提供する。【解決手段】電子部品を収納するための筐体６と、筐体６に締結され、筐体６の外部から筐体６の内部に向けて進入する正規のネジ１８と、筐体６の内面上に設けられ、正規のネジ１８の進入方向に凹状に形成された凹部３２を有するストッパ部２２と、を備え、正規の長さＬ１を有する正規のネジ１８が筐体６に締結されている場合には、正規のネジ１８の先端部は凹部３２から離れており、正規の長さＬ１よりも長い長さＬ２を有する非正規のネジ２６が筐体６に取り付けられている場合には、非正規のネジ２６の先端部の少なくとも一部は凹部３２に受けられる。【選択図】図７
2014214786.tif 000002
【特許請求の範囲】
【請求項１】
電子部品を収納するための筐体と、
前記筐体に締結され、前記筐体の外部から前記筐体の内部に向けて進入する締結部材と、
前記筐体の内面上に設けられ、前記締結部材の進入方向に凹状に形成された凹部を有するストッパ部と、を備え、
前記締結部材の長さが正規の長さである場合には、前記締結部材の先端部は前記凹部から離れており、
前記締結部材の長さが前記正規の長さよりも長い場合には、前記締結部材の前記先端部の少なくとも一部は前記凹部に受けられる
電子機器。
【請求項２】
前記凹部の中心軸は、前記締結部材の中心軸に対してずれている
請求項１に記載の電子機器。
【請求項３】
前記ストッパ部は、前記筐体の一部を前記筐体の内部に向けて切り起こすことにより形成されている
請求項１又は２に記載の電子機器。
【請求項４】
前記ストッパ部は、
前記筐体から前記締結部材の前記進入方向に折り曲げられた支持部と、
前記支持部の先端部から前記締結部材の半径方向に折り曲げられ、前記凹部が設けられた受け部と、を有する
請求項３に記載の電子機器。
【請求項５】
前記凹部の中心軸は、前記受け部が前記支持部の前記先端部から折り曲げられる折り曲げ部よりも、前記受け部の先端部側に位置している
請求項４に記載の電子機器。
【請求項６】
前記受け部の先端部は、前記筐体に接続されている
請求項４又は５に記載の電子機器。
【請求項７】
前記筐体は、
前記電子部品が取り付けられるシャーシと、
前記電子部品を覆うようにして前記シャーシに取り付けられるカバーと、を有し、
前記締結部材は、前記シャーシ及び前記カバーを相互に締結し、
前記ストッパ部は、前記シャーシの内面上に設けられる
請求項１〜６のいずれか１項に記載の電子機器。
【請求項８】
前記電子機器は、光ディスクを再生するための光ディスク再生装置である
請求項１〜７のいずれか１項に記載の電子機器。
【発明の詳細な説明】
【技術分野】
【０００１】
本発明は、正規の長さよりも長い長さの締結部材が筐体の内部に進入する量を規制するための構造を備えた電子機器に関する。
【背景技術】
【０００２】
例えば光ディスク再生装置等の電子機器は、電子部品を収納するための筐体を備えている。この筐体は、例えばシャーシとカバーとが相互に組み合わされることによって、ケース状に構成されている。シャーシには、電子部品が取り付けられている。カバーは、シャーシに取り付けられた電子部品を覆うようにして、シャーシに取り付けられている。これらシャーシ及びカバーは、ネジ（締結部材を構成する）により相互に締結されている。ネジは、筐体の外部から筐体の内部に向けて進入する。
【０００３】
正規の長さのネジが筐体に締結された場合には、当該ネジの先端部と筐体の内部の電子部品との間に一定の距離が保たれる。しかしながら、正規の長さよりも長い長さのネジ（以下、「非正規のネジ」という）が誤って筐体に締結された場合には、非正規のネジの先端部が筐体の内部の電子部品に接触するおそれがある。
【０００４】
このような問題を解消するために、例えば特許文献１には、非正規のネジが筐体の内部に進入する量を規制するための構造が開示されている。特許文献１に開示された構造では、ネジの締結箇所に対向するようにして、シャーシの内面上にプレートが取り付けられている。このプレートは、平板状に構成されている。非正規のネジが筐体に締結された場合には、非正規のネジの先端部がプレートに接触することにより、非正規のネジが筐体の内部に進入する量が規制される。
【先行技術文献】
【特許文献】
【０００５】
【特許文献１】実開平３−１１０８７６号公報
【発明の概要】
【発明が解決しようとする課題】
【０００６】
しかしながら、上述した従来の電子機器では、次のような課題が生じる。例えば非正規のネジが比較的強い力で締め付けられた場合などには、非正規のネジの先端部がプレートから外れて、非正規のネジがさらに筐体の内部に進入するおそれがある。
【０００７】
本発明は、上述した課題を解決しようとするものであり、その目的は、正規の長さよりも長い長さの締結部材が筐体の内部に進入する量を効果的に規制することができる電子機器を提供することである。
【課題を解決するための手段】
【０００８】
上記目的を達成するために、本発明の一態様に係る電子機器は、電子部品を収納するための筐体と、前記筐体に締結され、前記筐体の外部から前記筐体の内部に向けて進入する締結部材と、前記筐体の内面上に設けられ、前記締結部材の進入方向に凹状に形成された凹部を有するストッパ部と、を備え、前記締結部材の長さが正規の長さである場合には、前記締結部材の先端部は前記凹部から離れており、前記締結部材の長さが前記正規の長さよりも長い場合には、前記締結部材の前記先端部の少なくとも一部は前記凹部に受けられる。
【０００９】
本態様によれば、ストッパ部は、締結部材の進入方向に凹状に形成された凹部を有している。これにより、締結部材の長さが正規の長さよりも長い場合には、締結部材の先端部の少なくとも一部が凹部に受けられる。その結果、締結部材の先端部が凹部から外れるのを抑制することができ、締結部材が筐体の内部に進入する量を効果的に規制することができる。
【００１０】
例えば、本発明の一態様に係る電子機器において、前記凹部の中心軸は、前記締結部材の中心軸に対してずれているように構成してもよい。
【００１１】
本態様によれば、凹部の中心軸は、締結部材の中心軸に対してずれているので、凹部に対して略垂直な方向に作用する力の大きさを小さく抑えることができる。これにより、ストッパ部に作用する負荷を低減することができる。
【００１２】
例えば、本発明の一態様に係る電子機器において、前記ストッパ部は、前記筐体の一部を前記筐体の内部に向けて切り起こすことにより形成されているように構成してもよい。
【００１３】
本態様によれば、ストッパ部は、筐体の一部を筐体の内部に向けて切り起こすことにより形成されているので、既存の部品である筐体の一部を用いてストッパ部を形成することができる。これにより、電子機器の部品点数を削減することができ、電子機器の製造コストを低減することができる。
【００１４】
例えば、本発明の一態様に係る電子機器において、前記ストッパ部は、前記筐体から前記締結部材の前記進入方向に折り曲げられた支持部と、前記支持部の先端部から前記締結部材の半径方向に折り曲げられ、前記凹部が設けられた受け部と、を有するように構成してもよい。
【００１５】
本態様によれば、ストッパ部は、筐体の一部を筐体の内部に向けて切り起こして折り曲げることにより形成される。これにより、ストッパ部を容易に形成することができる。
【００１６】
例えば、本発明の一態様に係る電子機器において、前記凹部の中心軸は、前記受け部が前記支持部の前記先端部から折り曲げられる折り曲げ部よりも、前記受け部の先端部側に位置しているように構成してもよい。
【００１７】
本態様によれば、凹部の中心軸は、上記折り曲げ部よりも受け部の先端部側に位置しているので、受け部は、締結部材により押圧された際に、上記折り曲げ部を中心としてその先端部側が変形される。このように変形された受け部は、例えば筐体の内部に配置された配線基板の端部等に当たることにより、それ以上変形するのが抑制される。従って、万一受け部が変形してしまった場合であっても、締結部材の先端部が凹部に受けられた状態を保つことができる。
【００１８】
例えば、本発明の一態様に係る電子機器において、前記受け部の先端部は、前記筐体に接続されているように構成してもよい。
【００１９】
本態様によれば、受け部の先端部は筐体に接続されているので、受け部が締結部材により比較的大きい力で押圧された場合であっても、受け部が変形するのを抑制することができる。
【００２０】
例えば、本発明の一態様に係る電子機器において、前記筐体は、前記電子部品が取り付けられるシャーシと、前記電子部品を覆うようにして前記シャーシに取り付けられるカバーと、を有し、前記締結部材は、前記シャーシ及び前記カバーを相互に締結し、前記ストッパ部は、前記シャーシの内面上に設けられるように構成してもよい。
【００２１】
本態様によれば、筐体がシャーシ及びカバーで構成されている場合に、締結部材によりシャーシ及びカバーを相互に締結することができる。
【００２２】
例えば、本発明の一態様に係る電子機器において、前記電子機器は、光ディスクを再生するための光ディスク再生装置であるように構成してもよい。
【００２３】
本態様によれば、電子機器を光ディスク再生装置で構成することができる。
【発明の効果】
【００２４】
本発明の一態様に係る電子機器によれば、正規の長さよりも長い長さの締結部材が筐体の内部に進入する量を効果的に規制することができる。
【図面の簡単な説明】
【００２５】
【図１】実施の形態１に係る電子機器を示す斜視図である。
【図２】カバーをシャーシから取り外した状態での電子機器を示す分解斜視図である。
【図３】ストッパ部を筐体の内部から見た状態での電子機器を示す要部斜視図である。
【図４】ストッパ部を筐体の外部から見た状態での電子機器を示す要部斜視図である。
【図５】図３中のＡ−Ａ線により切断した電子機器の要部断面図である。
【図６】図３中のＢ−Ｂ線により切断した電子機器の要部断面図である。
【図７】非正規のネジが筐体に締結された状態での、図３中のＢ−Ｂ線により切断した電子機器の要部断面図である。
【図８】受け部が変形した状態での、図３中のＡ−Ａ線により切断した電子機器の要部断面図である。
【図９】実施の形態２に係る電子機器の要部断面図である。
【図１０】図９のストッパ部を筐体の外部から見た状態での電子機器を示す要部斜視図である。
【発明を実施するための形態】
【００２６】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２７】
（実施の形態１）
［電子機器の構成］
まず、図１及び図２を参照しながら、実施の形態１に係る電子機器の構成について説明する。図１は、実施の形態１に係る電子機器を示す斜視図である。図２は、カバーをシャーシから取り外した状態での電子機器を示す分解斜視図である。
【００２８】
図１及び図２に示すように、電子機器２は、例えば、光ディスク４を再生するための光ディスク再生装置である。なお、光ディスク再生装置は、例えば、光ディスク４に記録された情報の再生及び光ディスク４への情報の記録を行うためのブルーレイディスク（ＢＤ：Ｂｌｕ−ｒａｙ（登録商標）  Ｄｉｓｃ）レコーダ等である。光ディスク４は、例えば、ブルーレイディスク、デジタル多用途ディスク（ＤＶＤ：Ｄｉｇｉｔａｌ  Ｖｅｒｓａｔｉｌｅ  Ｄｉｓｃ）又はコンパクトディスク（ＣＤ：Ｃｏｍｐａｃｔ  Ｄｉｓｃ）である。
【００２９】
電子機器２は、複数の電子部品を収納するための筐体６を備えている。図２に示すように、複数の電子部品の各々は、例えば、光ディスク４を載置するためのディスクトレイ８、光ピックアップ（図示せず）が搭載されたトラバースユニット１０及び電源回路が実装された配線基板１２等である。
【００３０】
筐体６は、シャーシ１４及びカバー１６が相互に組み合わされることによって、ケース状に構成されている。シャーシ１４及びカバー１６はそれぞれ、例えばアルミニウム等で形成されている。
【００３１】
シャーシ１４は、矩形状の底板１４ａ（後述する図４参照）と、底板１４ａの外周の４辺からそれぞれ上方に向けて延びる４個の側板１４ｂと、を有している。これにより、シャーシ１４の上面には、開口部１４ｃが設けられている。底板１４ａには、上述したディスクトレイ８、トラバースユニット１０及び配線基板１２等が取り付けられている。４個の側板１４ｂのうち、相互に対向する一対の側板１４ｂの各々には、正規のネジ１８（締結部材を構成する）をネジ止めするためのネジ孔２０が設けられている。さらに、当該一対の側板１４ｂの各々の内面上には、ストッパ部２２が設けられている。ストッパ部２２の構成については、後述する。
【００３２】
カバー１６は、矩形状の天板１６ａと、天板１６ａの外周の相互に対向する２辺からそれぞれ下方に向けて延びる一対の側板１６ｂと、を有している。カバー１６は、天板１６ａがシャーシ１４の開口部１４ｃを覆い且つ一対の側板１６ｂの各々が対応するシャーシ１４の側板１４ｂを外側から覆うようにして、シャーシ１４に取り付けられている。一対の側板１６ｂの各々には、正規のネジ１８を挿入するための貫通孔２４が設けられている。正規のネジ１８が貫通孔２４を通してネジ孔２０にネジ止めされることにより、シャーシ１４及びカバー１６が相互に締結される。正規のネジ１８は、締付方向に回転されることにより、筐体６の外部から筐体６の内部に向けて進入する。なお、正規のネジ１８の長さＬ１（後述する図６参照）は、電子機器２の設計上規定された正規の長さ（例えば、１０ｍｍ）である。
【００３３】
［ストッパ部の構成］
次に、図３〜図６を参照しながら、本実施の形態の電子機器２の特徴的な構成であるストッパ部２２について説明する。図３は、ストッパ部を筐体の内部から見た状態での電子機器を示す要部斜視図である。図４は、ストッパ部を筐体の外部から見た状態での電子機器を示す要部斜視図である。図５は、図３中のＡ−Ａ線により切断した電子機器の要部断面図である。図６は、図３中のＢ−Ｂ線により切断した電子機器の要部断面図である。なお、説明の都合上、図３及び図４ではカバー１６の図示を省略している。
【００３４】
ストッパ部２２は、後述する非正規のネジ２６（締結部材を構成する）が筐体６の内部に進入する量を規制する機能を有している。ストッパ部２２の機能の詳細については後述する。
【００３５】
ストッパ部２２は、正規のネジ１８の締結箇所に対向するようにして、シャーシ１４の側板１４ｂの内面上に設けられている。ストッパ部２２は、一対の支持部２８と受け部３０とを有している。本実施の形態では、ストッパ部２２は、側板１４ｂの一部を筐体６の内部に向けて切り起こすことにより形成されている。
【００３６】
一対の支持部２８の各々は、側板１４ｂから正規のネジ１８の進入方向（すなわち、Ｘ軸の正から負に向かう方向）に、側板１４ｂに対して略垂直に折り曲げられている。
【００３７】
受け部３０は、一対の支持部２８の各々の先端部２８ａから正規のネジ１８の半径方向（すなわち、Ｚ軸の正から負に向かう方向）に、一対の支持部２８の各々に対して略垂直に折り曲げられている。受け部３０には、正規のネジ１８の進入方向に凹状に形成された凹部３２が設けられている。凹部３２は、例えば、平面視円形状に構成されている。なお、凹部３２は、金属の絞り加工により形成される。本実施の形態では、受け部３０の先端部３０ａは、自由端となっている。
【００３８】
図５に示すように、凹部３２の中心軸Ｃ１は、受け部３０が一対の支持部２８の各々の先端部２８ａから折り曲げられる折り曲げ部３４（図５において黒丸で示す）よりも、受け部３０の先端部３０ａ側に位置している。
【００３９】
図６に示すように、凹部３２の中心軸Ｃ１は、正規のネジ１８の中心軸Ｃ２に対して略平行に延びている。さらに、凹部３２の中心軸Ｃ１は、正規のネジ１８の中心軸Ｃ２に対して、正規のネジ１８の半径方向に距離Ｄだけずれている。この距離Ｄは、０よりも大きく、且つ、凹部３２の半径よりも小さい。なお、凹部３２の中心軸Ｃ１が正規のネジ１８の中心軸Ｃ２に対してずれる向きは、例えば、受け部３０の先端部３０ａ側である。
【００４０】
なお、上述した配線基板１２は、ストッパ部２２に隣接して配置されている。この配線基板１２の端部には、ストッパ部２２を逃がすための平面視矩形状の切り欠き部１２ａが設けられている。
【００４１】
［ストッパ部の機能］
次に、図７及び図８をも参照しながら、上述したストッパ部２２の機能について説明する。図７は、非正規のネジが筐体に締結された状態での、図３中のＢ−Ｂ線により切断した電子機器の要部断面図である。図８は、受け部が変形した状態での、図３中のＡ−Ａ線により切断した電子機器の要部断面図である。
【００４２】
図６に示すように、正規のネジ１８が筐体６に締結されている状態では、正規のネジ１８の先端部は、凹部３２から一定の距離（例えば、数ｍｍ程度）だけ離れている。
【００４３】
例えばユーザが電子機器２を分解した際などに、図７に示すように、ユーザは、非正規のネジ２６を誤って筐体６に締結することがある。非正規のネジ２６は、上記正規の長さＬ１よりも長い非正規の長さＬ２（例えば、３０ｍｍ）を有している。なお、非正規のネジ２６の直径は、正規のネジ１８の直径と略等しく、非正規のネジ２６の中心軸Ｃ３は、正規のネジ１８の中心軸Ｃ２と略一致している。
【００４４】
図７に示すように、正規のネジ１８に代えて非正規のネジ２６が筐体６に締結された際には、非正規のネジ２６が筐体６の外部から筐体６の内部に向けて進入することにより、その先端部の一部が凹部３２に受けられる。これにより、非正規のネジ２６の先端部が凹部３２から外れるのが抑制されるので、非正規のネジ２６が筐体６の内部に進入する量を効果的に規制することができる。
【００４５】
さらに、上述したように、凹部３２の中心軸Ｃ１は、非正規のネジ２６の中心軸Ｃ３（正規のネジ１８の中心軸Ｃ２）に対して、非正規のネジ２６の半径方向に距離Ｄだけずれている。これにより、次のような効果が得られる。非正規のネジ２６の先端部の一部が凹部３２により受けられた際に、受け部３０は、非正規のネジ２６から斜め下方向の力Ｆを受ける。この力Ｆは、受け部３０に対して略平行な方向の力の成分Ｆ１と、受け部３０に対して略垂直な方向の力の成分Ｆ２と、を有する。このように力の成分Ｆ１の分だけ、受け部３０に対して略垂直な方向に作用する力の大きさを小さく抑えることができるので、受け部３０に作用する負荷を低減することができる。
【００４６】
さらに、上述したように、凹部３２の中心軸Ｃ１は、折り曲げ部３４よりも受け部３０の先端部３０ａ側に位置している。これにより、次のような効果が得られる。非正規のネジ２６の先端部の一部が凹部３２により受けられた後に、さらに非正規のネジ２６が筐体６の内部に進入した際には、受け部３０が非正規のネジ２６により押圧される。この押圧される力の大きさが一定の大きさを超えた場合には、図８に示すように、凹部３２の中心部を力点、折り曲げ部３４を支点とする梃子の原理が作用する。これにより、受け部３０の先端部３０ａ側は、折り曲げ部３４を中心として図８中の矢印で示す方向に変形し始める。その後、受け部３０は、配線基板１２の切り欠き部１２ａに当たることにより、それ以上変形するのが抑制される。従って、上述のように万一受け部３０が変形してしまった場合であっても、非正規のネジ２６の先端部が凹部３２に受けられた状態を保つことができる。
【００４７】
（実施の形態２）
次に、図９及び図１０を参照しながら、実施の形態２に係る電子機器の構成について説明する。図９は、実施の形態２に係る電子機器の要部断面図である。図１０は、図９のストッパ部を筐体の外部から見た状態での電子機器を示す要部斜視図である。なお、説明の都合上、図１０ではカバー１６の図示を省略している。本実施の形態において、上記実施の形態１と同一の構成要素には同一の符号を付して、その説明を省略する。
【００４８】
図９及び図１０に示すように、本実施の形態では、ストッパ部２２Ａの受け部３０Ａの先端部３０Ａａは、筐体６Ａのシャーシ１４Ａの底板１４Ａａに接続されている。これにより、受け部３０Ａが非正規のネジ２６（図７参照）により比較的大きい力で押圧された場合であっても、受け部３０Ａが変形するのを抑制することができる。なお、本実施の形態における他の構成は、上記実施の形態１と同様である。
【００４９】
以上、本発明の実施の形態に係る電子機器について説明したが、本発明は、これらの実施の形態に限定されるものではない。例えば、上記各実施の形態を組み合わせてもよい。
【００５０】
上記各実施の形態では、電子機器としての光ディスク再生装置は、ブルーレイディスクレコーダであるが、これに限定されず、例えばブルーレイディスクプレーヤ、ＤＶＤレコーダ、ＤＶＤプレーヤ又はＣＤプレーヤ等でもよい。電子機器は、光ディスク再生装置に限定されず、例えばパーソナルコンピュータ及びテレビジョン受像機等のあらゆる家電機器に適用することができる。あるいは、電子機器は、例えば産業用機器及び医療用機器等にも適用することができる。
【００５１】
上記各実施の形態では、ストッパ部は、筐体の一部を切り起こすことにより形成されているが、筐体とは別の部材として構成することもできる。この場合には、ストッパ部は、例えばネジ止め等によって筐体に取り付けられる。
【００５２】
上記各実施の形態では、締結部材は、シャーシ及びカバーを相互に締結するのに用いられているが、例えば、筐体の外部に送風ファン等を取り付けるのに用いられることもできる。
【００５３】
上記各実施の形態では、凹部は、平面視円形状であるが、これに限定されず、例えば平面視楕円形状等でもよい。
【００５４】
上記各実施の形態では、凹部の中心軸は正規のネジ（又は非正規のネジ）の中心軸に対してずれているが、凹部の中心軸と正規のネジ（又は非正規のネジ）の中心軸とが一致していてもよい。この場合には、非正規のネジの先端部の全体が凹部に受けられる。
【００５５】
上記各実施の形態では、締結部材はネジであるが、これに限定されず、例えばボルト及びリベット等でもよい。
【産業上の利用可能性】
【００５６】
本発明は、正規の長さよりも長い長さの締結部材が筐体の内部に進入する量を規制するための構造を備えた電子機器として適用することができる。
【符号の説明】
【００５７】
２  電子機器
４  光ディスク
６，６Ａ  筐体
８  ディスクトレイ
１０  トラバースユニット
１２  配線基板
１２ａ  切り欠き部
１４，１４Ａ  シャーシ
１４ａ，１４Ａａ  底板
１４ｂ  側板
１４ｃ  開口部
１６  カバー
１６ａ  天板
１６ｂ  側板
１８  正規のネジ
２０  ネジ孔
２２，２２Ａ  ストッパ部
２４  貫通孔
２６  非正規のネジ
２８  支持部
２８ａ  先端部
３０，３０Ａ  受け部
３０ａ，３０Ａａ  先端部
３２  凹部
３４  折り曲げ部
【図１】
2014214786.tif 000003
【図２】
2014214786.tif 000004
【図３】
2014214786.tif 000005
【図４】
2014214786.tif 000006
【図５】
2014214786.tif 000007
【図６】
2014214786.tif 000008
【図７】
2014214786.tif 000009
【図８】
2014214786.tif 000010
【図９】
2014214786.tif 000011
【図１０】
2014214786.tif 000012